(57)【要約】      （修正有）【課題】歌っている人の映像と演奏音を含む音声とを同時に取込み、これを記録装置に書込むとともに、さらに、インターネット通信網を介してサーバーの記憶装置に書込む取込み装置を提供する。【解決手段】歌っている人の映像をカメラ２５によって取込み、音声をマイクロホン４１によって取込み、演奏音をカラオケシステム４２あるいは集音機４０によって取込むようにし、映像信号は変換器２６の映像信号エンコーダーによってデジタル化するとともに符号化し、音声信号は音声信号エンコーダーによってデジタル化して符号化する。符号化された映像信号と音声信号とをマルチプレクサによって並行処理し、携帯音楽プレーヤ５３、携帯情報端末５４、ＣＤＲドライブ５５、ＤＶＤドライブ５６、メモリドライブ５７に書込むようにする。さらに、パソコン４８の機能を使って、インターネット通信網に接続されたサーバーの記憶装置に書込むようにする。【選択図】図４
0003156336.tif 000002
【実用新案登録請求の範囲】
【請求項１】
映像信号と音声信号とをそれぞれエンコードして所定のファイル形式に変換する変換器と、歌っている人の映像を取込むカメラと、歌っている人の音声を取込むマイクロホンと、周囲の音声を取込む集音機と、前記カメラによって取込まれた映像を画像合成して表示するモニタと、前記変換器によって所定のファイル形式に変換された映像信号および／または音声信号を記録する記録装置とを有し、これらの機器をステージの前方に配される架台に組込んだカラオケ用映像および音声取込装置。
【請求項２】
前記変換器が映像信号をデジタル化して符号化する映像信号エンコーダーと、音声信号をデジタル化して符号化する音声信号エンコーダーと、符号化された映像信号および音声信号を並行して処理するマルチプレクサと、該マルチプレクサによって処理された映像信号および音声信号を所定のファイルに変換するファイル作成部とを有することを特徴とする請求項１に記載のカラオケ用映像および音声取込装置。
【請求項３】
前記架台の天板上に前記モニタが配されるとともに、該モニタの上縁に前記カメラが配され、該カメラによって取込まれた歌っている人の映像を画像合成して前記モニタによって表示することを特徴とする請求項１に記載のカラオケ用映像および音声取込装置。
【請求項４】
前記画像合成された映像信号ならびに／またはカラオケ装置もしくは集音機から取込まれた演奏音を含む歌っている人の音声信号を前記記録装置によって記録することを特徴とする請求項３に記載のカラオケ用映像および音声取込装置。
【請求項５】
前記記録装置が携帯音楽プレーヤ、携帯情報端末、ＣＤプレーヤ、ＤＶＤプレーヤ、半導体メモリ書込み装置、携帯式テレビゲーム機の何れかであることを特徴とする請求項４に記載のカラオケ用映像および音声取込装置。
【請求項６】
前記画像合成された映像信号ならびに／またはカラオケ装置もしくは集音機から取込まれた演奏音を含む歌っている人の音声信号をデジタル通信ネットワークを介して外部のサーバーに接続された記憶装置に書込むようにし、前記デジタル信号ネットワークを介して携帯情報端末またはパソコンから前記サーバーにアクセスして前記映像信号ならびに／または再生信号をダウンロードできるようにしたことを特徴とする請求項３に記載のカラオケ用映像および音声取込装置。
【請求項７】
前記画像合成が、ハート型の縁取り、花で囲んだ縁取り、リボンで囲んだ縁取り、写真フレーム状の縁取り、誕生日を祝福する文字列、同一の画像を複数個並置する並置画像、雪、雨、プレゼントの小箱等が降るように下方に移動するフィルタ画像、歌っている人の映像を歪ませた変形画像の内の何れかであることを特徴とする請求項１に記載のカラオケ用映像および音声取込装置。
【請求項８】
前記架台の天板上に前面側が傾斜した支持台が載置され、前記モニタが前記支持台の傾斜した前面によって斜めに支持されることを特徴とする請求項６に記載のカラオケ用映像および音声取込み装置。
【請求項９】
前記天板上に載置されたモニタの両側に照明用ライトが配され、歌っている人を照明することを特徴とする請求項８に記載のカラオケ用映像および音声取込み装置。
【請求項１０】
前記天板の前縁に切込みが形成され、該切込みにカラオケ用表示パネルが配され、該表示パネルによってカラオケシステムから供給される信号によって歌の歌詞が表示されることを特徴とする請求項８に記載のカラオケ用映像および音声取込み装置。
【請求項１１】
前記天板が複数本の支柱によって底板上に支持されるとともに、前記天板と前記底板との間に中空の筒体が配され、該筒体の外表面に装飾用シートが貼付けられ、しかも該筒体の中にケーブル類が挿通されることを特徴とする請求項８に記載のカラオケ用映像および音声取込み装置。
【考案の詳細な説明】
【技術分野】
【０００１】
本考案はカラオケ用映像および音声取込み装置に係り、とくに歌っている人の映像とカラオケの演奏音を含む歌っている人の音声をそれぞれ所定のファイル形式で記録できるようにしたカラオケ用映像および音声取込み装置に関する。
【背景技術】
【０００２】
例えば特開平６−１３１８０２号公報には、カラオケ装置においてミキシングされた伴奏と音声のミキシング信号をＣＤ−Ｒ（書込み可能なコンパクトディスク）等の記録媒体に記録する録音装置に関し、既存のカラオケ装置に接続可能で自動的にカラオケミキシング信号を記録しうる録音装置を提供するものであって、録音命令が与えられると、ローディング部は収納部から未書込み状態の記録媒体を取出して記録位置に移送し、記録位置には記録部が設けられており、記録部では、移送された記録媒体にカラオケ再生装置からの混合信号を記録し、記録が終了すると、ローディング部は記録済の記録媒体を記録位置から排出位置まで移送し、排出位置には、排出部が設けられており、この排出部は移送された記録済の記録媒体を外部に排出するようにした録音装置が開示されている。
【０００３】
このような録音装置をカラオケ装置と接続することによって、歌っている人の音声と伴奏音とをミキシングしてＣＤに書込むことが可能になり、これによって演奏音上で自分が歌っている歌声を聴くことが可能になる。
【０００４】
しかるにこのような録音装置をカラオケ装置に接続しても、映像信号を取込むことができず、さらには動画を記録することができない。また動画を、ＣＤやＤＶＤに書込むのではなく、携帯音楽プレーヤや携帯情報端末等に書込むことができない。さらにはまた、半導体メモリにマイクミキシングされた音声を取込むことができない。さらには、カラオケ装置とは遠隔して配され、インターネットに接続されているサーバーの記憶装置に書込むことができない。
【先行技術文献】
【特許文献】
【０００５】
【特許文献１】特開平６−１３１８０２号公報
【考案の概要】
【考案が解決しようとする課題】
【０００６】
本願考案の課題は、音声信号のみならず、映像信号をも取込み得るようにしたカラオケ用映像および音声取込み装置を提供することである。
【０００７】
本願考案の別の課題は、音声信号のみならず、動画の映像信号をも取込み得るようにしカラオケ用映像および音声取込み装置を提供することである。
【０００８】
本願考案のさらに別の課題は、ＣＤ、ＤＶＤ等の記録媒体ばかりでなく、携帯音楽プレーヤや携帯情報端末にも映像信号と音声信号とを書込み得るようにしたカラオケ用映像および音声取込み装置を提供することである。
【０００９】
本願考案のさらに別の課題は、このカラオケ装置に対して遠隔地に配されかつ通信網と接続されたサーバーの記憶装置に映像信号と音声信号とを書込み得るようにしたカラオケ用映像および音声取込み装置を提供することである。
【００１０】
本願考案のさらに別の課題は、歌っている人の映像を画像合成によって加工して取込み得るようにしたカラオケ用映像および音声取込み装置を提供することである。
【００１１】
本願考案の上記の課題および別の課題は、以下に述べる本願考案の技術的思想およびその実施の形態によって明らかにされる。
【課題を解決するための手段】
【００１２】
本願の主要な考案は、映像信号と音声信号とをそれぞれエンコードして所定のファイル形式に変換する変換器と、歌っている人の映像を取込むカメラと、歌っている人の音声を取込むマイクロホンと、周囲の音声を取込む集音機と、前記カメラによって取込まれた映像を画像合成して表示するモニタと、前記変換器によって所定のファイル形式に変換された映像信号および／または音声信号を記録する記録装置とを有し、これらの機器をステージの前方に配される架台に組込んだカラオケ用映像および音声取込装置に関するものである。
【００１３】
ここで、前記変換器が映像信号をデジタル化して符号化する映像信号エンコーダと、音声信号をデジタル化して符号化する音声信号エンコーダーと、符号化された映像信号および音声信号を並行して処理するマルチプレクサと、該マルチプレクサによって処理された映像信号および音声信号を所定のファイルに変換するファイル作成部とを有してよい。また前記架台の天板上に前記モニタが配されるとともに、該モニタの上縁に前記カメラが配され、該カメラによって取込まれた歌っている人の映像を画像合成して前記モニタによって表示してよい。また前記画像合成された映像信号ならびに／またはカラオケ装置もしくは集音機から取込まれた演奏音を含む歌っている人の音声信号を前記記録装置によって記録してよい。また前記記録装置が携帯音楽プレーヤ、携帯情報端末、ＣＤプレーヤ、ＤＶＤプレーヤ、半導体メモリ書込み装置、携帯式テレビゲーム機の何れかであってよい。
【００１４】
また前記画像合成された映像信号ならびに／またはカラオケ装置もしくは集音機から取込まれた演奏音を含む歌っている人の音声信号をデジタル通信ネットワークを介して外部のサーバーに接続された記憶装置に書込むようにし、前記デジタル信号ネットワークを介して携帯情報端末から前記サーバーにアクセスして前記映像信号ならびに／または再生信号をダウンロードできるようにしてよい。また前記画像合成が、ハート型の縁取り、花で囲んだ縁取り、リボンで囲んだ縁取り、写真フレーム状の縁取り、誕生日を祝福する文字列、同一の画像を複数個並置する並置画像、雪、雨、プレゼントの小箱等が降るように下方に移動するフィルタ画像、歌っている人の映像を歪ませた変形画像の内の何れかであってよい。
【００１５】
また、前記架台の天板上に前面側が傾斜した支持台が載置され、前記モニタが前記支持台の傾斜した前面によって斜めに支持されてよい。また前記天板上に載置されたモニタの両側に照明用ライトが配され、歌っている人を照明してよい。また前記天板の前縁に切込みが形成され、該切込みにカラオケ用表示パネルが配され、該表示パネルによってカラオケシステムから供給される信号によって歌の歌詞が表示されてよい。また前記天板が複数本の支柱によって底板上に支持されるとともに、前記天板と前記底板との間に中空の筒体が配され、該筒体の外表面に装飾用シートが貼付けられ、しかも該筒体の中にケーブル類が挿通されてよい。
【考案の効果】
【００１６】
本願の主要な考案は、映像信号と音声信号とをそれぞれエンコードして所定のファイル形式に変換する変換器と、歌っている人の映像を取込むカメラと、歌っている人の音声を取込むマイクロホンと、周囲の音声を取込む集音機と、前記カメラによって取込まれた映像を画像合成して表示するモニタと、前記変換器によって所定のファイル形式に変換された映像信号および／または音声信号を記録する記録装置とを有し、これらの機器をステージの前方に配される架台に組込むようにしたものである。
【００１７】
従ってこのようなカラオケ用映像および音声取込装置によると、歌っている人の映像と、演奏音を含む音声信号とがそれぞれ所定のファイル形式に変換され、記録装置によって記録されることになり、映像信号と音声信号とをともに取込むことが可能なカラオケ用映像および音声取込み装置を提供できるようになる。
【図面の簡単な説明】
【００１８】
【図１】本願考案の一実施の形態に係るカラオケ用映像および音声取込み装置の外観斜視図である。
【図２】同カラオケ用映像および音声取込み装置のタッチパネル式パソコンから成るモニタの分解斜視図である。
【図３】同モニタを支持する支持台の外観斜視図である。
【図４】カラオケ用映像および音声取込み装置のシステム構成を示すブロック図である。
【図５】このカラオケ用映像および音声取込み装置の変換器の構成を示すブロック図である。
【図６】映像信号と音声信号の記録の動作を示すフローチャートである。
【図７】画像合成の例を示す画像の正面図である。
【図８】画像合成の動作を示すフローチャートである。
【図９】このカラオケ装置に対して遠隔地に配されたサーバーの記憶装置に映像と音声とを書込むシステムのブロック図である。
【図１０】同サーバーの記憶装置に対する映像および音声の書込み動作を示すフローチャートである。
【図１１】インターネット上のサーバーにアップロードされた動画ファイルのダウンロードの動作を示すフローチャートである。
【考案を実施するための形態】
【００１９】
以下本願考案を一実施の形態によって説明する。図１は本実施の形態に係るカラオケ用映像および音声取込み装置の外観を示しており、この装置は架台１０を備えている。架台１０は、カラオケボックスのパーティールーム等において、ステージの前方に配されるものである。そして架台１０は、その上面が天板１１から、底部が底板１２から構成される。底板１２上には４本の支柱１３が直立し、これらの支柱１３によって天板１１を支持する。また４本の支柱１３の間には、断面が正方形の４角筒１４が配される。４角筒１４は、例えば合成樹脂製の中空の筒体であって、その内部に電源ケーブルや信号ケーブル等の各種のケーブルが挿通される。また４角筒１４の外側面には、装飾用の有機ＥＬから成る発光シート１５が貼付けられ、これによって意匠的な効果を発生するようにしている。また底板１２の底部にはキャスタ１６がその４箇所に取付けられ、これによって架台１０を移動可能にしている。
【００２０】
架台１０の上面には、前面が斜め後方に傾斜するようにモニタ２０が配される。またモニタ２０はその背面側を、支持台２１の前面側の斜めの傾斜面によって受けられて支持される。なおこの支持台２１の背面側には補助表示パネル２２が取付けられるようになっている（図３参照）。また天板１１の前面側の切込み２７の部分には、カラオケ用表示パネル２３が配され、この補助表示パネル２３によって、例えばカラオケの映像と歌詞の表示が行なわれる。また上記モニタ２０の両側にはそれぞれライト２４が配されて照明手段を構成している。またモニタ２０の上端にはカメラ２５が取付けられている。なおモニタ２０のフレームの中に前記カメラ２５を組込むようにしてもよい。また上記天板１１の上面であって支持台２１の底部側の部分には、変換器２６が配されている。この変換器２６が、映像信号と音声信号とをそれぞれエンコードして所定のファイル形式に変換するものである。
【００２１】
次に上記架台１０の天板１１上に斜めに配されているモニタ２０の構成について図２により説明する。モニタ２０は、キーボードを備えないタッチパネル式のパソコンによって構成される。すなわち扁平なトレー状をなすキャビネット２９が設けられ、このキャビネット２９によってこのモニタ２０の背面側の部分が覆われるようになっている。キャビネット２９の底部には、このキャビネット２９よりも一回り小さな長方形のプリント配線基板３０が収納される。そしてプリント配線基板３０上には各種のＩＣ３１とともに、ＣＰＵ３２が搭載される。さらにプリント配線基板３０上には、各種の電子部品３３が実装されている。これらのＩＣ３１、ＣＰＵ３２、電子部品３３によって、プリント配線基板３０上にパソコンの回路が構成される。
【００２２】
上記プリント配線基板３０の前面側には液晶表示パネル３４が配される。この液晶表示パネル３４はパソコンのディスプレイを構成するものである。そして液晶表示パネル３４の前面側にはタッチパネル３５が配される。タッチパネル３５は互いに所定の間隙を隔てて配された一対の透明なフィルムから構成され、これらのフィルムの互いに対向する面に配されている透明電極によって入力操作部が形成されている。すなわち液晶表示パネル３４に形成される表示とタッチパネル３５のスイッチング動作とによって、このパソコンに対する入力動作が行なわれる。そして上記タッチパネル３５が液晶表示パネル３４の上面に重合わされた状態で、フロントフレーム３６がタッチパネル３５の前面側に取付けられる。フロントフレーム３６は額縁状であって大きな矩形の窓を有し、この窓を通してタッチパネル３５に対してアクセス可能になっており、かつ液晶表示パネル３４を前方から見えるようにしている。
【００２３】
次にこのカラオケ用映像および音声取込み装置のシステム構成を図４によって説明する。上記変換器２６の入力側には、カメラ２５、集音機４０、マイクロホン４１、カラオケシステム４２、テレビモニタ４３、スピーカ４４がそれぞれ接続される。ここで、カメラ２５、集音機４０、マイクロホン４１、カラオケシステム４２は何れも変換器２６のアナログ入力端子に接続される。これに対してテレビモニタ４３およびスピーカ４４は、この変換器２６のアナログ出力端子に接続される。
【００２４】
また変換器２６には、上記モニタ２０を構成するパソコン４８が接続される。このパソコン４８は、無線ＬＡＮ用のアンテナ４９を備えている。またパソコン４８には、上記液晶表示パネル３４とタッチパネル３５とがそれぞれ接続され、これによって出力表示と、入力操作を可能にしている。またパソコン４８には、補助表示パネル２２とカラオケ用表示パネル２３とがそれぞれ接続されている。
【００２５】
またこの変換器２６の出力側には、携帯音楽プレーヤ５３、携帯情報端末５４、ＣＤＲドライブ５５、ＤＶＤドライブ５６、メモリドライブ５７がそれぞれ接続されるようになっており、これによって、携帯音楽プレーヤ５３や携帯情報端末５４に、変換された映像信号および／または音声信号を供給し、あるいはＣＤ、ＤＶＤ、半導体メモリにそれぞれ映像信号および／または音声信号を書込むようにしている。なおこれらの書込みは、映像信号および音声信号をデジタル化し、所定のファイル形式として書込むようにしている。
【００２６】
次に上記変換器２６の構成を図５によって説明する。変換器２６は、映像信号エンコーダー６１と音声信号エンコーダー６２とを備えている。映像信号エンコーダー６１は、カメラ２５等の映像ソースからの映像信号を取込み、これをデジタル信号に変換して、例えばＨ．２６４／ＡＶＣ形式に符号化するものである。また音声信号エンコーダー６２は、マイクロホン４１等の音声ソースからの音声信号をデジタル化して、例えばＭＰ３  ６４−３２０ｋｂｐｓ；ＡＡＣ１２８ｋｂｐｓ；ＷＡＶ，ＦＬＡＣ形式に符号化するものである。そしてこれらの映像信号エンコーダー６１および音声信号エンコーダー６２のそれぞれの出力をマルチプレクサ６３によってそれぞれ並行して信号処理をするようにしている。なおマルチプレクサ６３の出力側にはＵＳＢコネクタ６４が接続される。マルチプレクサ６３の出力側にはファイル作成部６５が接続されており、ここで映像信号と音声信号のファイルが作成される。例えば映像はＨ．２６４動画ファイルに、音声はＭＰ３ファイルになる。このファイル作成部６５にはさらに記憶装置６６が接続される。なおここで記憶装置６６は、例えばフラッシュメモリ等の半導体メモリから構成されてよい。
【００２７】
次に以上のようなカラオケ用映像および音声取込み装置による映像信号と音声信号の記録の動作を図６に示すフローチャートによって説明する。まずモニタ２０の上端に設けられているカメラ２５によって、この装置に向って歌っている人の映像を取込む。また図４に示すマイクロホン４１によって、歌っている音声を取込むようにする。さらにカラオケ用演奏音は、カラオケシステム４２によって直接取込むか、あるいは集音機４０によって、周囲の音声とともに取込むようにする。カラオケシステム４２からの演奏音は、周囲のノイズを拾うことがなく、鮮明な演奏音を取込める。これに対して集音機４０による取込みは、例えばパーティールーム内におけるノイズをも一緒に取込むことになるが、拍手や回りの人の掛け声等も取込むことができ、いわゆるライブ調の演奏音を取込むことが可能になる。ここで取込まれたマイクロホンからの音声と演奏音とは、スピーカ４４によって出力することができる。またこのときの映像は、テレビモニタ４３によって出力される。なおテレビモニタ４３によって出力される映像は、歌っている人の映像とカラオケの映像とに切換え手段によって切換えられるようになっている。なおカラオケシステム４２のスピーカによって出力してもよい。なおスピーカ４４とテレビモニタ４３とは、カラオケ装置の対応するスピーカとテレビモニタによって兼用してもよい。
【００２８】
上述のようにして取込まれた映像信号と音声信号とは、変換器２６によって所定のファイル形式に変換される。カメラ２５からの映像信号は、変換器２６の映像信号エンコーダー６１によってデジタル化され、Ｈ．２６４／ＡＶＣのフォーマットに符号化される。またマイクロホン４１によって取込まれた音声信号は、音声信号エンコーダー６２によってデジタル化され、ＭＰ３  ６４−３２０ｋｂｐｓ；ＡＣＣ１２８ｋｂｐｓ；ＷＡＶ，ＦＬＡＣのフォーマットに符号化される。そしてこれらの符号化された映像信号と音声信号とがともにマルチプレクサ６３に供給され、ここで映像信号の処理と音声信号の処理とが並行して行なわれる。そしてこの後に、ファイル作成部６５でＨ．２６４の映像ファイルとＭＰ３の音声ファイルの作成が行なわれる。そして映像ファイルは、変換器２６から図４に示すパソコン４８に供給され、このパソコン４８のモニタ２０の液晶表示パネル３４によって画像表示される。なおこのときに、パソコン４８によって画像合成が行なわれる。
【００２９】
ここでパソコン４８による画像合成とは、カメラ２５によって取込まれた映像であって、歌っている人の映像を、パソコン４８に予め用意された合成用画像とはめ込み合成して組合わせるものである。このような画像合成は、ハート型の縁取り７１（図７Ａ参照）、花で囲んだ縁取り、リボンで囲んだ縁取り７２（図７Ｂ参照）、写真フレーム状の縁取り７３（図７Ｃ参照）、誕生日を祝福する文字列、同一画像を複数個並置する並置画像、雪、雨７４、プレゼントの小箱等が降るように下方に移動するフィルタ画像（図７Ｄ参照）であってよい。ここで図７Ｄに示す画像は、雨が降る画像を示しており、水滴７４がゆっくりと下方に移動する合成画像がカメラ２５によって取込まれた歌っている人の映像に重合わされる。その他各種の変形画像が可能であって、例えば歌っている人の映像を歪ませた変形画像としてもよい。このような画像合成は、予めパソコン４８に取込まれたソフトウエアによって達成される。
【００３０】
図８に示すように、画像合成をする場合には、パソコン４８のモニタ２０上に設けられているタッチパネル３５によって、画像合成のメニューを選択する。なおメニューは、液晶表示パネル３４によって表示される。そして画像合成メニューを選択した後に、合成画面の選択を行なう。すなわち、上記の各種の画像合成の中で、希望する画像合成を選択する。するとパソコン４８によって選択された画像合成が行なわれ、歌っている人の映像が画像合成された状態でモニタ２０に表示される（図７参照）。
【００３１】
また変換器２６およびパソコン４８による上述のような合成画像の表示とともに、図６に示すように、映像信号と音声信号の記録が行なわれる。この記録は、予め変換器２６に接続しておいた記録装置に対する映像信号および音声信号の記録である。変換器２６のデジタル出力側に携帯音楽プレーヤ５３、携帯情報端末５４、ＣＤＲドライブ５５、ＤＶＤドライブ５６、メモリドライブ５７等の記録装置を予め接続しておく。このような接続動作に連動して、変換器２６が、接続された記録装置のファイル形式に応じた映像ファイルと音声ファイルを作成している。従って接続された携帯音楽プレーヤ５３、携帯情報端末５４、ＣＤＲドライブ５５、ＤＶＤドライブ５６、あるいはメモリドライブ５７に映像信号のファイルと音声信号のファイルとがそれぞれ供給されて記録される。従って、映像信号と音声信号とをこれらの記録装置によって記録できるようになる。
【００３２】
次に変換器２６によって変換作成された映像ファイルと音声ファイルとは、図９に示すインターネット通信網７９と接続されサーバー８０の記憶装置８１に転送して書込むことができる。このシステムは、パソコン４８の無線ＬＡＮ用アンテナ４９との間で電波の授受を行なうアクセスポイント７７と、このアクセスポイント７７が接続されている基幹ＬＡＮ７８と、そして上記基幹ＬＡＮ７８が接続されたインターネット通信網７９と、サーバー８０とから構成され、サーバー８０に記憶装置８１が設けられている。そして上記インターネット通信網７９には携帯電話通信網８２が接続されるとともに、この携帯電話通信網８２に接続された基地局アンテナ８３に対して、携帯電話機８４がアクセスできるようになっている。
【００３３】
以上のような構成において、図９および図１０に示すように、変換器２６によってデジタル信号に変換されかつ所定のファイル形式に構成されるとともに、映像信号についてはさらに画像合成されてファイル変換が行なわれる。そしてこのような画像合成が行なわれた映像信号と音声信号とが、パソコン４８の無線ＬＡＮ用アンテナ４９によってアクセスポイント７７に無線送信される。アクセスポイント７７からは基幹ＬＡＮ７８およびインターネット通信網７９を介して、サーバー８０の記憶装置８１にこのような映像信号と音声信号との書込みが行なわれる。すなわちカラオケボックス内の図１に示す装置で取込んだ映像信号と音声信号とを、インターネット通信網７９に接続されたサーバー８０の記憶装置８１に書込むことができる。なお図１０は、とくに変換器２６によって作成された映像ファイルと音声ファイルとを、サーバー８０の記憶装置８１にアップロードする動作を示している。なおこのような信号の書込みのために、例えば動画共有サービスを行なうＹＯＵ  ＴＵＢＥ等のインターネット上のホームページであってよい。なおこのようなアップロードの際に、動画のタイトルが一緒に入力できるようになっており、アップロードされた動画ファイルにはタイトルが付される。
【００３４】
このようにサーバー８０に取込まれた映像信号および音声信号は、必要に応じて携帯電話機８４にダウンロードできる。すなわち携帯電話機８４によって基地局アンテナ８３と交信し、この基地局アンテナ８３から携帯電話通信網８２およびインターネット通信網７９を介してサーバー８０上のホームページに対してダウンロード要求を行なう。するとサーバー８０が上記の映像信号および音声信号を、インターネット通信網７９および携帯電話通信網８２を介して携帯電話機８４に送信する。従って携帯電話機８４で、サーバー８０の記憶装置８１にアップロードされた映像と音声とを見たり聴いたりすることができる。
【００３５】
図１１はＹＯＵ  ＴＵＢＥ等の動画共有サービスを行なうサーバー８０の記憶装置８１に記憶されたホームページに書込まれたファイルを携帯電話機８４によってダウンロードする動作を示しており、ここでは携帯電話機８４をインータネット７９に接続する。そしてこの後に、携帯電話機８４の操作釦あるいはキーの操作によって、ＹＯＵ  ＴＵＢＥ内の所定の動画ファイルのダウンロード要求を行なう。なおこのときに、ＱＲコードの送信を行なうと、極めて迅速なダウンロードが可能になる。そして携帯電話機８４が、インターネット通信網７９および携帯電話通信網８２を介してダウンロードした場合には、その画像を携帯電話機８４のディスプレイによって表示する。またこの携帯電話機８４のスピーカあるいはイヤホンによって音声出力を行なうことができる。すなわちＹＯＵ  ＴＵＢＥ等のホームページを利用して、歌った人本人や、あるいは他の人が、上記の映像信号と音声信号とを必要に応じて携帯電話機８４によってダウンロードして見たり聴いたりすることができるようになる。
【００３６】
以上本願考案を図示の一実施の形態によって説明したが、本願考案は上記実施の形態によって限定されることなく、本願考案の技術的思想の範囲内において各種の変更が可能である。例えば上記実施の形態における図１に示すカラオケ用表示パネル２３を省略し、天板１１上に設けられているモニタ２０の下端側の部分に、歌詞の表示を行なうようにしてもよい。なおこのような歌詞の表示は、映像取込みの際には、除かれるようにパソコン４８によって制御することができる。これによって、カラオケ用表示パネル２３を不要にすることが可能になる。
【産業上の利用可能性】
【００３７】
本願考案は、カラオケボックスのパーティールーム等において、ステージの前に配し、これによって映像信号と音声信号とを取込み、所定の記録装置や外部のサーバーと接続された記憶装置に書込むことができるカラオケ用映像および音声取込み装置として用いることができる。
【符号の説明】
【００３８】
１０  架台
１１  天板
１２  底板
１３  支柱
１４  ４角筒
１５  発光シート（有機ＥＬ）
１６  キャスタ
２０  モニタ
２１  支持台
２２  補助表示パネル
２３  カラオケ用表示パネル
２４  ライト
２５  カメラ
２６  変換器
２７  切込み
２９  キャビネット
３０  プリント配線基板
３１  ＩＣ
３２  ＣＰＵ
３３  電子部品
３４  液晶表示パネル
３５  タッチパネル
３６  フロントフレーム
４０  集音機
４１  マイクロホン
４２  カラオケシステム
４３  テレビモニタ
４４  スピーカ
４８  パソコン
４９  無線用アンテナ
５３  携帯音楽プレーヤ
５４  携帯情報端末
５５  ＣＤＲドライブ
５６  ＤＶＤドライブ
５７  メモリドライブ
６１  映像信号エンコーダー
６２  音声信号エンコーダー
６３  マルチプレクサ
６４  ＵＳＢコネクタ
６５  ファイル作成部
６６  記憶装置
７１  ハート型の縁取り
７２  リボンで囲んだ縁取り
７３  写真のフレーム状の縁取り
７４  雨のフィルタ
７７  アクセスポイント
７８  基幹ＬＡＮ
７９  インターネット通信網
８０  サーバー
８１  記憶装置
８２  携帯電話通信網
８３  基地局アンテナ
８４  携帯電話機
【図１】
0003156336.tif 000003
【図２】
0003156336.tif 000004
【図３】
0003156336.tif 000005
【図４】
0003156336.tif 000006
【図５】
0003156336.tif 000007
【図６】
0003156336.tif 000008
【図７】
0003156336.tif 000009
【図８】
0003156336.tif 000010
【図９】
0003156336.tif 000011
【図１０】
0003156336.tif 000012
【図１１】
0003156336.tif 000013